(57)【特許請求の範囲】
【請求項１】
医療機器と通信可能に接続されている医療機器外観表示装置であって、
前記医療機器の外観情報を有する外観情報記憶部と、
前記外観情報を表示する表示部と、
前記表示部に表示された前記外観情報の部分情報を選択することができる選択部と、
前記医療機器が前記外観情報の部分情報に対応する前記医療機器の部分を動作させることができるように、前記選択された部分の部分情報を前記医療機器へ送信する送信部と、を有し、
前記外観情報には、前記医療機器の複数の異なる状態の外観情報が含まれ、
前記医療機器に、その直近状態を要求する直近状態要求情報を送信し、
前記医療機器から前記直近状態要求情報に対応した対応直近状態情報を受信し、
前記対応直近状態情報に対応する前記外観情報を前記表示部に表示する構成となっていることを特徴とする医療機器外観表示装置。
【請求項２】
前記外観情報に対応する説明情報を有する説明情報格納部を有し、
前記外観情報と共に前記説明情報を前記表示部に表示することを特徴とする請求項１に記載の医療機器外観表示装置。
【請求項３】
前記表示部は、情報を表示する表示部本体と、前記表示部本体における位置を座標軸上の位置として入力できる位置入力部とを有し、
前記座標軸情報が、前記表示部本体に表示された前記外観情報の部分情報と関連付けてあり、前記選択部は前記座標軸情報に基づき前記外観情報の部分情報を選択することを特徴する請求項１又は請求項２に記載の医療機器外観表示装置。
【請求項４】
前記医療機器が、前記部分情報に基づき、対応する前記医療機器の部分を動作させる部分動作実行部を有することを特徴とする請求項１乃至請求項３のいずれかに記載の医療機器外観表示装置を備える医療機器外観表示システム。
【請求項５】
前記医療機器と前記医療機器外観表示装置との間で通信される情報が予め定められた特定の識別情報であることを特徴とする請求項４に記載の医療機器外観表示システム。
【請求項６】
前記医療機器が血糖計であり、前記外観情報が、前記血糖計の外観情報であり、前記医療機器の複数の異なる状態の外観情報が、前記血糖計の外観初期画面情報、測定チップ装着画面情報、血糖測定中画面情報及び血糖測定完了画面情報を含むことを特徴とする請求項４又は請求項５に記載の医療機器外観表示システム。
【発明の詳細な説明】
【技術分野】
【０００１】
本発明は、医療機器の外観を表示等するための医療機器外観表示装置及び医療機器外観表示システムに関するものである。
【背景技術】
【０００２】
従来、例えば血糖計等の医療機器が、コンピュータ等に通信可能に接続されているシステムが提案されており、この場合は、血糖計が計測した血糖値は、通信手段によって、コンピュータ等に送られ、コンピュータ等で血糖値等のデータを管理する構成となっている（例えば、特許文献１）。
また、かかる血糖計には、その測定データを表示するディスプレイや、操作をするためのボタン等がその表面に配置されている。
したがって、利用者は、これらのボタン等を操作して血糖計を動作等させ、必要な情報をディスプレイに表示させる構成となっている。
【先行技術文献】
【特許文献】
【０００３】
【特許文献１】特開２０００−６０８０３号公報
【発明の概要】
【発明が解決しようとする課題】
【０００４】
しかし、近年、血糖計等の医療機器は、小型化の要請により益々小型化し、これに伴い操作ボタンやディスプレイ等も益々小さくなっている。
このため、特に視力が低下している患者や老人にとっては、血糖計等の医療機器の操作が益々困難になり、ディスプレイ等の表示部に表示されている情報も認識し難くなっているという問題があった
【０００５】
そこで、本発明は、利用者が操作し易く、医療機器の表示部を認識し易い、医療機器外観表示装置及び医療機器外観表示システムを提供することを目的とする。
【課題を解決するための手段】
【０００６】
前記課題は、本発明によれば、医療機器と通信可能に接続されている医療機器外観表示装置であって、前記医療機器の外観情報を有する外観情報記憶部と、前記外観情報を表示する表示部と、前記表示部に表示された前記外観情報の部分情報を選択することができる選択部と、前記医療機器が前記外観情報の部分情報に対応する前記医療機器の部分を動作させることができるように、前記選択された部分の部分情報を前記医療機器へ送信する送信部と、を有し、前記外観情報には、前記医療機器の複数の異なる状態の外観情報が含まれ、前記医療機器に、その直近状態を要求する直近状態要求情報を送信し、前記医療機器から前記直近状態要求情報に対応した対応直近状態情報を受信し、前記対応直近状態情報に対応する前記外観情報を前記表示部に表示する構成となっていることを特徴とする医療機器外観表示装置により達成される。
【０００７】
前記構成によれば、医療機器の外観情報を有する外観情報記憶部と、外観情報を表示する表示部と、表示部に表示された外観情報の部分を選択することができる選択部と、医療機器が外観情報の部分に対応する医療機器の部分を動作させることができるように、選択された部分の部分情報を医療機器へ送信する送信部と、を有する。
このため、医療機器、例えば血糖計の外観情報は、医療機器外観表示装置の表示部に表示されるので、使用者等は、血糖計等の医療機器の操作箇所や医療機器の表示部に表示される情報を認識し易くなる。
また、使用者等は、医療機器外観表示装置の表示部に示される医療機器の部分を選択することで、医療機器の操作をすることができる。このため、例えば視力が低下している患者や老人等にとって、操作及び操作確認をし易い構成となっている。
【０００９】
前記構成によれば、外観情報には、医療機器の複数の異なる状態の外観情報が含まれ、医療機器に、その直近状態を要求する直近状態要求情報を送信し、医療機器から直近状態要求情報に対応した対応直近状態情報を受信し、対応直近状態情報に対応する外観情報を表示部に表示する構成となっている。
このため、医療機器外観表示装置は、医療機器の対応直近状態情報を取得でき、これを表示部に表示できるので、使用者は、直近の血糖計等の医療機器の状態を見ながら、操作することができる。また、医療機器の状態の変化があっても、そのまま、医療機器外観表示装置の表示部を見ながら操作することができるので、使い易い構成となっている。
【００１０】
好ましくは前記外観情報に対応する説明情報を有する説明情報格納部を有し、前記外観情報と共に前記説明情報を前記表示部に表示することを特徴とする医療機器外観表示装置である。
【００１１】
前記構成によれば、外観情報に対応する説明情報を有する説明情報格納部を有し、外観情報と共に説明情報を前記表示部に表示するので、利用者は、医療機器の外観情報と説明情報の双方を取得でき、より適確な操作をすることができる。
【００１２】
好ましくは、前記表示部は、情報を表示する表示部本体と、前記表示部本体における位置を座標軸上の位置として入力できる位置入力部とを有し、前記座標軸情報が、前記表示部本体に表示された前記外観情報の部分情報と関連付けてあり、前記選択部は前記座標軸情報に基づき前記外観情報の部分情報を選択することを特徴する医療機器外観表示装置である。
【００１３】
前記構成によれば、表示部は、情報を表示する表示部本体と、表示部本体における位置を座標軸上の位置として入力できる位置入力部とを有し、座標軸情報が、表示部本体に表示された外観情報の部分情報と関連付けてあり、選択部は座標軸情報に基づき外観情報の部分情報を選択する。
すなわち、医療機器の部分に対応する外観情報の部分を座標軸情報で特定できるので、選択部は、極めて精度高く医療機器の部分を選択することができる。
【００１４】
好ましくは、前記医療機器が、前記部分情報に基づき、対応する前記医療機器の部分を動作させる部分動作実行部を有することを特徴とする医療機器外観表示装置を備える医療機器外観表示システムである。
【００１５】
好ましくは、前記医療機器と前記医療機器外観表示装置との間で通信される情報が予め定められた特定の識別情報であることを特徴とする医療機器外観表示システムである。
【００１６】
前記構成によれば、医療機器と医療機器外観表示装置との間で通信される情報が予め定められた特定の識別情報となっているので、送信する情報量を小さくすることができ、効率良く通信をおこなうことができる。
【００１７】
好ましくは、前記医療機器が血糖計であり、前記外観情報が、前記血糖計の外観情報であり、前記医療機器の複数の異なる状態の外観情報が、前記血糖計の外観初期画面情報、測定チップ装着画面情報、血糖測定中画面情報及び血糖測定完了画面情報を含むことを特徴とする医療機器外観表示システムである。
【発明の効果】
【００１８】
本発明は、利用者が操作し易く、表示部を認識し易い、医療機器外観表示装置及び医療機器外観表示システムを提供することができるという利点がある。
【図面の簡単な説明】
【００１９】
【図１】本発明に係る医療機器外観表示システムである血糖計表示システムを示す概略図である。
【図２】図１の血糖計の主な構成を示す概略ブロック図である。
【図３】図１の管理装置の主な構成を示す概略ブロック図である。
【図４】本実施の形態に係る血糖計表示システムの主な動作等を示す概略フローチャートである。
【図５】本実施の形態に係る血糖計表示システムの主な動作等を示す他の概略フローチャートである。
【図６】本実施の形態に係る血糖計表示システムの主な動作等を示す他の概略フローチャートである。
【図７】血糖計の外観初期画面データ及びその説明データを示す概略図である。
【図８】血糖計の測定チップ画面データ及びその説明データを示す概略図である。
【図９】血糖計の血糖測定中画面データ及びその説明データを示す概略図である。
【図１０】血糖計の血糖測定完了画面データ及びその説明データを示す概略図である。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明に係る医療機器外観表示システムである血糖計表示システム１を示す概略図である。
図１に示すように、血糖計表示システム１は、医療機器である例えば、血糖計１０を有している。また、血糖計１０は、例えば、ケーブル２で医療機器外観表示装置である管理装置５０と通信可能に接続されている。
血糖計１０は、図１に示すように、血糖計１０の測定データ等を示す血糖計側ディスプレイ１２や、利用者が操作する際に、使用する操作ボタン１３ａ、１３ｂ及び１３ｃを有している。なお詳細には、操作ボタン１３ａは電源ボタン、操作ボタン１３ｂは測定履歴データの記憶呼出ボタン、操作ボタン１３ｃは血糖計１０の側面に設けられた時間設定ボタンを示す。
管理装置５０は、図１に示すように表示部である例えば、管理装置側ディスプレイ５１を有している。このディスプレイ５１は、血糖計１０の外観を表示する表示部本体である例えば液晶パネル装置５１ａを有すると共に、この液晶パネル装置５１ａにおける位置を座標軸上の位置として入力する位置入力部である例えば、位置入力装置５１ｂも有している。
また、管理装置５０は、図１に示すように、キーボード等の入力装置５２を有している。
【００２２】
また、血糖計１０の血糖計側ディスプレイ１２に比べ、管理装置５０の管理操作側ディスプレイ装置５１は、大きく形成されている。例えば、管理装置５０の管理操作側ディスプレイ装置５１は、血糖計側ディスプレイ１２の５〜１０倍程度となっている。但し、ディスプレイの大きさには限度は無く、更に大きくすることもできる。
【００２３】
なお、本実施の形態では、血糖計１０と管理装置５０は、有線であるケーブル２で接続されているが、これに限らず、無線通信としても構わない。
【００２４】
図１の血糖計１０及び管理装置５０は、コンピュータ等を有している。コンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらはバスを介して配置されている。
ところで、バスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００２５】
図２は、図１の血糖計１０の主な構成を示す概略ブロック図であり、図３は、図１の管理装置５０の主な構成を示す概略ブロック図である。
図２に示すように、血糖計１０は、血糖計制御部１１を有する。また、血糖計１０は、血糖を測定する装置である血糖計本体１４を有し、血糖計本体１４は、血糖を測定する際に実際に患者等の血液を吸収する測定チップの装着や非装着を検知する測定チップ装着センサー１４ａを有している。
また血糖計本体１４は、測定チップに患者等の血液が吸収されたか否かを検知する血液点着センサー１４ｂも有している。
また、血糖計１０は、図２に示すように、図１の管理装置５０と通信するための血糖計側通信装置１５を有している。
そして、これら血糖計本体１４、血糖計側ディスプレイ１２及び操作ボタン１３ａ、１３ｂ、１３ｃ及び血糖計側通信装置１５は、血糖計制御部１１に接続されている。
【００２６】
また、図３に示すように、管理装置５０は、管理装置制御部５３を有している。また、管理装置５０は、図３に示すように、管理装置側ディスプレイ５１を有し、管理装置側ディスプレイ５１は、液晶パネル装置５１ａや位置入力装置５１ｂを有している。
また、管理装置５０は、図１に示す入力装置５２や、血糖計１０と通信するための送信部である例えば、管理装置側通信装置５４を有している。
これら管理装置側ディスプレイ５１、管理装置側通信装置５４及び入力装置５２は、管理装置制御部５３と接続されている。
【００２７】
図４乃至図６は、本実施の形態に係る血糖計表示システム１の主な動作等を示す概略フローチャートである。
以下、図４乃至図６のフローチャートに沿って、血糖計表示システム１の動作等を説明しながら図２及び図３のソフトウエア構成等について説明する。
【００２８】
先ず、図１に示す血糖計１０を使用しようとする使用者である例えば、患者等が血糖計１０の血糖計側ディスプレイ１２や操作ボタン１３ａ、１３ｂ、１３ｃを見難い場合は、血糖計１０を図１の管理装置５０に接続する。
そして、管理装置５０の電源をＯＮ状態とすると、ＳＴ１へ進む。
【００２９】
ＳＴ１では、図４に示すように、管理装置５０が血糖計１０との接続有無の確認（ポーリング）を行う。
すなわち、図１の管理装置５０は、血糖計１０に対して何度も通信接続の確認を行う。具体的には、図３のポーリング実行部（プログラム）５５が動作して実行する。
【００３０】
次いで、ＳＴ２へ進む。ＳＴ２では、管理装置５０が血糖計１０と接続されたか否かを判断する。具体的には、図３の接続判断部（プログラム）５６が動作して判断する。
【００３１】
次いで、ＳＴ３へ進む。ＳＴ３では、管理装置５０が、セッション開始要求を血糖計１０に送信する。
具体的には、図３の管理装置側通信装置５４が、セッション開始要求データ記憶部５７内のセッション開始要求データを送信する。このとき、管理装置５０は、血糖計１０に特有の通信用ＩＤデータを送信する。すなわち、管理装置５０と血糖計１０との間で予め定められたデータ量の小さい記号情報等を送信する。
この通信用ＩＤデータは、図３の管理装置側ＩＤデータ記憶部５８に記憶されている。
また、この通信用ＩＤデータが、特定の識別情報の一例となっている。
なお、後述するように、この通信用ＩＤデータは、管理装置５０が血糖計１０にデータを送信する場合だけでなく、血糖計１０が管理装置５０にデータを送信する場合にも用いられる。
このため、管理装置５０と血糖計１０との間の通信量を小さくすることができ、双方の通信効率を向上させることができる。
【００３２】
次いで、ＳＴ４へ進む。ＳＴ４では、ＳＴ３のセッション開始要求を受信した血糖計１０が、血糖計１０の電源をＯＮ状態とする。これにより、血糖計１０と管理装置５０とのデータの連動モードが開始され、血糖計１０は初期状態に移行する。
具体的には、図２の血糖計電源ＯＮ実行部（プログラム）１６が動作して実行する。
【００３３】
次いで、ＳＴ５へ進む。ＳＴ５では、血糖計１０が血糖計情報を管理装置５０に送信する。具体的には、図２の血糖計情報記憶部１７内には、血糖計１０のタイプ（製品の型番等）や製造番号のデータが記憶されており、血糖計１０は、この血糖計１０の製品タイプ等のデータを血糖計側通信装置１５を介して管理装置５０へ送信する。
このとき、送信されるデータは、図２の血糖計側通信用ＩＤデータ記憶部１８内の通信用ＩＤデータとして送信される。この通信用ＩＤデータは、上述のように、管理装置５０と血糖計１０との間で予め定められたデータ量の小さい記号情報等となっている。
このため、上述のように、管理装置５０と血糖計１０との間の通信量を小さくすることができ、双方の通信効率を向上させることができる。
【００３４】
次いで、ＳＴ６へ進む。ＳＴ６では、ＳＴ５の血糖計情報を受信した管理装置５０が、血糖計情報に応じた血糖計１０の外観初期画面を管理装置側ディスプレイ５１に表示する。
具体的には、管理装置５０は、先ず、図３の血糖計外観画面情報等記憶部５９を参照する。血糖計外観画面情報等記憶部５９には、血糖計１０の外観画面データ及びその説明データが記憶されている。
そのため、管理装置５０は、これら血糖計１０の外観初期画面データ、その説明データを図３の管理装置側ディスプレイ５１の液晶パネル装置５１ａに表示する。
図７は、血糖計１０の外観初期画面データ及びその説明データを示す概略図である。図７に示すように、液晶パネル装置５１ａには、血糖計１０の初期モードにおける外観、すなわち、測定チップが装着されていない状態が示されている。
この測定チップは、内部に試験紙が収容され、患者等から採取された血液がこの試験紙に吸収され、試験紙に担持された発色試薬との反応に基づいて血糖計１０が血糖値を測定する構成となっている。
ところで、図７には、血糖計１０に形成されている図２に示す操作ボタン１３ａ、１３ｂ、１３ｃと、その他に血糖計１０にはない通信終了ボタン１３ｄも表示されている。
【００３５】
このように、外観初期画面データが、外観情報の一例であり、血糖計外観画面情報等記憶部５９が、外観情報及び説明情報格納部の一例である。また、外観初期画面データの説明データが、説明情報の一例となっている。
【００３６】
また、図７等に示す管理装置側ディスプレイ５１は、図３の位置入力装置５１ｂを有している。そして、図７の操作ボタン１３ａ、１３ｂ、１３ｃ及び通信終了ボタン１３ｄの液晶パネル装置５１ａ上における位置は、Ｘ軸及びＹ軸の座標軸データとして、外観初期画面データと関連付けて、図３の血糖計外観画面情報等記憶部５９内に記憶されている。
したがって、使用者が、図７の管理装置側ディスプレイ５１上に表示された操作ボタン１３ａ、１３ｂ、１３ｃ又は通信終了ボタン１３ｄの部分をクリック（選択）すると、管理装置５０は、位置入力装置５１ｂを介して、その座標位置からいずれのボタンをクリック（選択）したか判断することができる構成となっている。
【００３７】
このように、管理装置側ディスプレイ５１上に表示された操作ボタン１３ａ等が、外観情報の部分情報の一例となっている。なお、管理装置側ディスプレイ５１をタッチパネルとし、指や専用ペンで触れることで操作ボタン１３ａ等を選択できるようにしてもよい。
【００３８】
次いで、ＳＴ７へ進む。ＳＴ７では、管理装置５０での操作イベントを検知した否かが判断される。
具体的には、使用者が図７の血糖計１０の外観初期画面を視認して、操作ボタン１３ａ、１３ｂ、１３ｃ及び通信終了ボタン１３ｄを、管理装置側ディスプレイ５１でクリックしたか否かが判断される。
【００３９】
そして、ＳＴ７で、使用者が操作ボタン１３ａ等をクリックしたと判断した場合は、ＳＴ８へ進む。ＳＴ８では、クリックした座標軸データから押した血糖計１０の部品等を特定する。
具体的には、図３の座標位置特定及び判断部（プログラム）６０が動作し、上述のように、血糖計外観画面情報等記憶部５９内の座標軸データと操作ボタン１３ａ等の対応関係を参照し、押された操作ボタン１３ａ等を特定して、図３の特定部品等記憶部６１に記憶する。
このように、座標位置特定及び判断部（プログラム）が、選択部の一例となっている。
【００４０】
次いで、ＳＴ９へ進む。ＳＴ９では、管理装置５０が、ＳＴ８で特定された操作ボタン１３ａ等の操作に際し、管理装置５０の動作等が必要か否かが判断される。
具体的には、図３の管理装置動作可否判断部（プログラム）６２が動作し、図３の管理装置動作可否情報記憶部６３内のデータを参照して判断する。
この管理装置動作可否情報記憶部６３には、管理装置５０で実行する動作データ等が記憶されている。
【００４１】
そして、ＳＴ９で、管理装置の動作が必要と判断した場合は、ＳＴ１０へ進み、血糖計１０と通信することなく、管理装置５０側で、当該動作等を実行する。
具体的には、図３の管理装置動作実行部（プログラム）６４が動作して実行する。
【００４２】
次いで、ＳＴ１１へ進む。ＳＴ１１では、管理装置５０は、血糖計１０と通信可能な状態であるか否かが判断される。
具体的には、ＳＴ２と同様に、図３の接続判断部（プログラム）５６が判断する。
【００４３】
次いで、ＳＴ１２へ進む。ＳＴ１２では、管理装置５０が血糖計１０に操作要求をする。
具体的には、図３の操作要求部（プログラム）６５が動作し、図３の特定部品等記憶部６１に記憶されている、血糖計１０の部分、例えば、操作ボタン１３ａ等を操作すべき旨のデータを血糖計１０へ送信する。この場合も上述のように通信用ＩＤデータで送信する。
【００４４】
図５のＳＴ１３では、血糖計１０がＳＴ１２の操作要求を受信し、その操作要求に従い処理を実行する。
具体的には、図２の血糖計制御部１１が動作し、例えば、受信した操作要求が、操作ボタン１３ａの操作である場合は、実際に血糖計１０の操作ボタン１３ａを操作する。
そして、その操作結果が図２の血糖計側血糖計動作結果記憶部２０に記憶される。
この血糖計制御部１１が、部分動作実行部の一例となっている。
【００４５】
次いで、ＳＴ１４へ進む。ＳＴ１４では、血糖計１０が、処理結果情報を管理装置５０へ送信する。この場合も上述と同様に、通信用ＩＤデータとして送信する。
具体的には、血糖計１０の血糖計側通信装置１５が、図２の血糖計側血糖計動作結果記憶部２０内に記憶されているデータを管理装置５０へ送信する。この場合も上述のように通信用ＩＤデータで送信する。
【００４６】
次いで、ＳＴ１５へ進む。ＳＴ１５では、管理装置５０が、血糖計１０から受信した血糖計動作結果情報を管理装置側ディスプレイ５１に画面表示する。
具体的には、先ず、受信した血糖計動作結果情報を、図３の管理装置側血糖計動作結果情報記憶部６６に記憶させ、このデータに対応する画面データを図３の血糖計外観画面情報等記憶部５９から抽出して、管理装置側ディスプレイ５１に表示する。
【００４７】
このように、本実施の形態では、血糖計１０の使用者、特に視力が低下している患者や老人でも、図１の血糖計１０の小さな血糖計側ディスプレイ１２や操作ボタン１３ａ等を見ながら操作等をすることなく、管理装置５０の比較的大きな管理装置側ディスプレイ５１に表示されている、血糖計１０の血糖計側ディスプレイ１２や操作ボタン１３ａ等の画像を見ながら、管理装置側ディスプレイ５１の操作で、血糖計１０を操作等できる構成となっている。このため、極めて使い易いシステムとなっている。
【００４８】
また、管理装置側ディスプレイ５１には、血糖計１０の外観画面データだけでなく、その説明情報も表示されるので、画面と説明を併せて見ることで、使用者はより適確な判断をすることができる。
【００４９】
また、管理装置側ディスプレイ５１では、血糖計１０の操作ボタン１３ａ等を座標軸データで特定するので、使用者の選択を精度高く判断することができる。
【００５０】
ＳＴ１５で、管理装置５０は、血糖計１０の外観初期画面に対する操作等が終了するので、次いで、ＳＴ１６へ進む。ＳＴ１６では、管理装置５０が、血糖計１０へ血糖計状態要求情報を送信する。
具体的には、図３の管理装置側通信装置５４が、血糖計状態要求情報記憶部６７内に血糖計状態要求情報データを抽出して、血糖計１０に送信する。この場合も上述のように通信用ＩＤデータで送信する。
この血糖計状態要求情報データが、直近状態要求情報の一例となっている。
【００５１】
次いで、ＳＴ１７へ進む。ＳＴ１７では、管理装置５０から血糖計状態要求情報データを受信した血糖計１０は、測定チップが血糖計１０に装着されたか否かを判断する。
具体的には、使用者が、図１の血糖計１０に別部品である測定チップを装着すると、図２の測定チップセンサー１４ａが動作し、測定チップの装着を認識する。この判断は、図２の血糖計側測定チップ装着判断部（プログラム）２１が動作して判断する。
【００５２】
ＳＴ１７で、測定チップが血糖計１０に装着されていると判断された場合は、ＳＴ１８で、血糖計１０が測定チップ装着状態に移行する。
【００５３】
ＳＴ１９では、ＳＴ１７の結果情報が、図２の測定チップ装着結果情報記憶部２２に記憶される、すなわち、測定チップ装着情報又は測定チップ非装着情報が記憶される。
また、血糖計１０は、測定チップ装着情報／非装着情報を管理装置５０へ送信する。
具体的には、図２の血糖計側通信装着１５が、図２の測定チップ装着結果情報記憶部２２内の測定チップ装着情報／非装着情報を管理装置５０へ送信する。この場合も上述のように通信用ＩＤデータで送信する。
【００５４】
次いで、ＳＴ２０へ進む。ＳＴ２０では、血糖計１０から測定チップ装着情報／非装着情報を受信した管理装置５０が、血糖計１０に測定チップが装着されたか否かを判断する。
具体的には、図３の管理装置側測定チップ装着判断部（プログラム）６８が動作して判断する。
この測定チップ装着情報／非装着情報が、対応直近状態情報の一例となっている。
【００５５】
ＳＴ２０で、測定チップが血糖計１０に装着されたと判断した場合は、ＳＴ２１へ進む。ＳＴ２１では、管理装置５０が、測定チップ装着画面を図３の管理装置側ディスプレイ５１に表示する。
具体的には、管理装置５０は、先ず、図３の血糖計外観画面情報等記憶部５９を参照する。血糖計外観画面情報等記憶部５９には、血糖計１０の測定チップ画面データ及びその説明データが記憶されている。
そのため、管理装置５０は、これら血糖計１０の測定チップ装着画面データ、その説明データを図３の管理装置側ディスプレイ５１の液晶パネル装置５１ａに表示する。
図８は、血糖計１０の測定チップ画面データ及びその説明データを示す概略図である。
図８に示すように、液晶パネル装置５１ａには、血糖計１０の測定チップ装着時における外観、すなわち、測定チップが装着された状態が示されている。
ところで、図７には、血糖計１０に形成されている図２に示す操作ボタン１３ａ、１３ｂ、１３ｃの他に、通信終了ボタン１３ｄも表示されている。
【００５６】
また、図８等に示す管理装置側ディスプレイ５１は、図７と同様に、図３の位置入力装置５１ｂを有している。そして、図８の操作ボタン１３ａ、１３ｂ、１３ｃ及び通信終了ボタン１３ｄの液晶パネル装置５１ａ上における位置は、Ｘ軸及びＹ軸の座標軸データとして、測定チップ装着画面データと関連付けて、図３の血糖計外観画面情報等記憶部５９内に記憶されている。
したがって、使用者が、図８の管理装置側ディスプレイ５１上に表示された操作ボタン１３ａ、１３ｂ、１３ｃ及び通信終了ボタン１３ｄの部分をクリック（選択）すると、管理装置５０は、位置入力装置５１ｂを介して、その座標位置からいずれのボタンをクリック（選択）したか判断することができる構成となっている。
【００５７】
次いで、使用者が、管理装置側ディスプレイ５１に表示された測定チップ装着画面を見ながら、血糖計１０の操作ボタン１３ａ等を操作する場合、この工程は、上述のＳＴ７乃至ＳＴ１５と同様であるため、同一のＳＴとして説明を省略する。
【００５８】
このように、本実施の形態では、使用者は、血糖計１０の状態に変化があっても、自動的に直近の状態を画面として表示することできる。また、使用者は、この画面のみを見ながら操作等をすることができるので、使い易いシステムとなっている。
【００５９】
ＳＴ７乃至１５が終了すると、ＳＴ２２へ進む。ＳＴ２２は、上述のＳＴ１６と同様である。
次いで、ＳＴ２３へ進む。ＳＴ２３では、管理装置５０から血糖計状態要求情報データを受信した血糖計１０は、測定チップに患者等の血液が点着したか否かを判断する。
具体的には、測定チップに患者等の血液が点着すると、図２の血液点着センサー１４ｂが動作し、測定チップに血液が点着したことを認識する。この判断は、図２の血糖計側血液点着判断部（プログラム）２３が動作して判断する。
【００６０】
ＳＴ２３で、測定チップに血液が点着していると判断された場合は、ＳＴ２４で、血糖計１０が血糖測定状態に移行する。
【００６１】
ＳＴ２５では、ＳＴ２３の結果情報が、図２の血液点着／非点着結果情報記憶部２４に記憶される。すなわち、血液点着情報又は血液非点着情報が記憶される。
そして、血糖計１０は、血液点着情報／血液非装着情報を管理装置５０へ送信する。
具体的には、図２の血糖計側通信装置１５が、図２の血液点着／非点着結果情報記憶部２４内の血液点着情報／血液非点着情報を管理装置５０へ送信する。この場合も上述のように通信用ＩＤデータで送信する。
【００６２】
次いで、ＳＴ２６へ進む。ＳＴ２６では、血糖計１０から血液点着情報／血液非点着情報を受信した管理装置５０が、血糖計１０に血液が点着したか否かを判断する。
具体的には、図３の管理装置側血液点着判断部（プログラム）６９が動作して判断する。
【００６３】
ＳＴ２６で、測定チップに血液が点着されたと判断した場合は、ＳＴ２７へ進む。ＳＴ２７では、管理装置５０が、血糖測定中画面を図３の管理装置側ディスプレイ５１に表示する。
具体的には、管理装置５０は、先ず、図３の血糖計外観画面情報等記憶部５９を参照する。血糖計外観画面情報記憶部５９には、血糖計１０の血糖測定中画面データ及びその説明データが記憶されている。
そのため、管理装置５０は、これら血糖計１０の血糖測定中画面データ及びその説明データを図３の管理装置側ディスプレイ５１の液晶パネル装置５１ａに表示する。
図９は、血糖計１０の血糖測定中画面データ及びその説明データを示す概略図である。
図９に示すように、液晶パネル装置５１ａには、血糖計１０の血糖測定中の外観、すなわち、血糖計１０の血糖計側ディスプレイ１２に測定終了までの残り時間（秒数）がカウントダウン式で示される画像が表示される。
ところで、図９には、血糖計１０に形成されている図２に示す操作ボタン１３ａ、１３ｂ、１３ｃの他に、通信終了ボタン１３ｄも表示されている。
【００６４】
また、図９等に示す液晶パネル装置５１は、図７と同様に、図３の位置入力装置５１ｂを有している。そして、図９の操作ボタン１３ａ、１３ｂ、１３ｃ及び通信終了ボタン１３ｄの液晶パネル装置５１ａ上における位置は、Ｘ軸及びＹ軸の座標軸データとして、測定チップ装着画面データと関連付けて、図３の血糖計外観画面情報等記憶部５９内に記憶されている。
したがって、使用者が、図９の管理装置側ディスプレイ５１上に表示された操作ボタン１３ａ、１３ｂ、１３ｃ及び通信終了ボタン１３ｄの部分をクリック（選択）すると、管理装置５０は、位置入力装置５１ｂを介して、その座標位置からいずれのボタンをクリック（選択）したか判断することができる構成となっている。
【００６５】
次いで、使用者が、管理装置側ディスプレイ５１に表示された測定チップ装着画面を見ながら、血糖計１０の操作ボタン１３ａ等を操作する場合、この工程は、上述のＳＴ７乃至ＳＴ１５と同様であるため、同一のＳＴとして説明を省略する。
【００６６】
ＳＴ７乃至１５が終了すると、ＳＴ２８へ進む。ＳＴ２８は、上述のＳＴ１６と同様である。
次いで、ＳＴ２９へ進む。ＳＴ２９では、管理装置５０から血糖計状態要求情報データを受信した血糖計１０は、血糖測定が完了したか否かを判断する。
具体的には、図２の血糖計側血糖測定完了判断部（プログラム）２５が動作して判断する。
【００６７】
ＳＴ２９で、血糖測定が完了していると判断された場合は、ＳＴ３０で、血糖計１０が血糖測定完了状態に移行する。
【００６８】
ＳＴ３１では、ＳＴ２９の結果情報が、図２の血糖測定値情報／血糖測定中間情報記憶部２６に記憶される。すなわち、血糖測定が完了した場合は、血糖測定値情報、血糖測定が未終了の場合は、血糖測定中間情報が記憶される。
そして、血糖計１０は、血糖測定値情報／血糖測定中間情報を管理装置５０へ送信する。
具体的には、図２の血糖計側通信装着１５が、図２の血糖測定値情報／血糖測定中間情報記憶部２６内の血糖測定値情報／血糖測定中間情報を管理装置５０へ送信する。この場合も上述のように通信用ＩＤデータで送信する。
【００６９】
次いで、ＳＴ３２へ進む。ＳＴ３２では、血糖計１０から血糖測定値情報／血糖測定中間情報を受信した管理装置５０が、血糖計１０の血糖測定が完了したか否かを判断する。
具体的には、図３の管理装置側血糖測定完了判断部（プログラム）７０が動作して判断する。
【００７０】
ＳＴ３２で、血糖計１０による血糖測定が完了したと判断した場合は、ＳＴ３３へ進む。ＳＴ３３では、管理装置５０が、血糖測定完了画面を図３の管理装置側ディスプレイ５１に表示する。
具体的には、管理装置５０は、先ず、図３の血糖計外観画面情報等記憶部５９を参照する。血糖計外観画面情報等記憶部５９には、血糖計１０の血糖測定完了画面データ及びその説明データが記憶されている。
そのため、管理装置５０は、これら血糖計１０の血糖測定完了画面データ及びその説明データを図３の管理装置側ディスプレイ５１の液晶パネル装置５１ａに表示する。
図１０は、血糖計１０の血糖測定完了画面データ及びその説明データを示す概略図である。
図１０に示すように、液晶パネル装置５１ａには、血糖計１０の血糖測定完了の外観、すなわち、血糖計１０の血糖計側ディスプレイ１２に血糖値が示された状態が表示される。
ところで、図１０には、血糖計１０に形成されている図２に示す操作ボタン１３ａ、１３ｂ、１３ｃの他に、通信終了ボタン１３ｄも表示されている。
【００７１】
また、図１０等に示す液晶パネル装置５１は、図７と同様に、図３の位置入力装置５１ｂを有している。そして、図１０の操作ボタン１３ａ、１３ｂ、１３ｃ及び通信終了ボタン１３ｄの液晶パネル装置５１ａ上における位置は、Ｘ軸及びＹ軸の座標軸データとして、血糖測定完了画面データと関連付けて、図３の血糖計外観画面情報等記憶部５９内に記憶されている。
したがって、使用者が、図１０の管理装置側ディスプレイ５１上に表示された操作ボタン１３ａ、１３ｂ、１３ｃ及び通信終了ボタン１３ｄの部分をクリック（選択）すると、管理装置５０は、位置入力装置５１ｂを介して、その座標位置からいずれのボタンをクリック（選択）したか判断することができる構成となっている。
【００７２】
このため、図１０の血糖測定完了の画面を確認した使用者が、このシステムを終了させる場合は、管理装置側ディスプレイ５１上で、通信終了ボタン１３ｄをクリック（選択）する。すると、その選択が血糖計１０へ送信され、通信状態が切断される。さらに、操作ボタン（電源ボタン）１３ａをクリック（選択）すると、血糖計１０の電源がＯＦＦ状態となる。
その後、使用者が、管理装置５０の電源をＯＦＦ状態とすることで、血糖計表示システム１の工程が終了する。
【００７３】
本発明は、上述の各実施の形態に限定されない。例えば、操作ボタンの１つとして、食後数時間以内に測定した血糖値データに対して、食後測定であることをマーキングするために食後ボタンを血糖計１０に設け、その食後ボタンに対応するように管理装置側ディスプレイ５１で表示するようにしてもよい。
【符号の説明】
【００７４】
１・・・血糖計表示システム、２・・・ケーブル、１０・・・血糖計、１１・・・血糖計制御部、１２・・・血糖計側ディスプレイ、１３ａ、１３ｂ・・・操作ボタン、１３ｃ・・・時間設定ボタン、１３ｄ・・・通信終了ボタン、１４・・・血糖計本体、１４ａ・・・測定チップセンサー、１４ｂ・・・血液点着センサー、１５・・・血糖計側通信装置、１６・・・血糖計電源ＯＮ実行部（プログラム）、１７・・・血糖計情報記憶部、１８・・・血糖計側通信用ＩＤデータ記憶部、２０・・・血糖計側血糖計動作結果記憶部、２１・・・血糖計側測定チップ装着判断部（プログラム）、２２・・・測定チップ装着結果情報記憶部、２３・・・血糖計側血液点着判断部（プログラム）、２４・・・血液点着／非点着結果情報記憶部、２５・・・血糖計側血糖測定完了判断部（プログラム）、２６・・・血糖測定値情報／血糖測定中間情報記憶部、５０・・・管理装置、５１・・・管理装置側ディスプレイ、５１ａ・・・液晶パネル装置、５１ｂ・・・位置入力装置、５２・・・入力装置、５３・・・管理装置制御部、５４・・・管理装置側通信装置、５５・・・ポーリング実行部（プログラム）、５６・・・接続判断部（プログラム）、５７・・・セッション開始要求データ記憶部、５８・・・管理装置側ＩＤデータ記憶部、５９・・・血糖計外観画面情報等記憶部、６０・・・座標位置特定及び判断部（プログラム）、６１・・・特定部品等記憶部、６２・・・管理装置動作可否判断部（プログラム）、６３・・・管理装置動作可否情報記憶部、６４・・・管理装置動作実行部（プログラム）、６５・・・操作要求部（プログラム）、６６・・・管理装置側血糖計動作結果情報記憶部、６７・・・血糖計状態要求情報記憶部、６８・・・管理装置側測定チップ装着判断部（プログラム）、６９・・・管理装置側血液点着判断部（プログラム）、７０・・・管理装置側血糖測定完了判断部（プログラム）
【図１】
0005517542.tif 000002
【図２】
0005517542.tif 000003
【図３】
0005517542.tif 000004
【図４】
0005517542.tif 000005
【図５】
0005517542.tif 000006
【図６】
0005517542.tif 000007
【図７】
0005517542.tif 000008
【図８】
0005517542.tif 000009
【図９】
0005517542.tif 000010
【図１０】
0005517542.tif 000011